(57)【要約】【課題】通信中のＳＩＭカードの取り外しによるデータの破損を防止し、ＳＩＭカードの脱着に伴う動作の停止、復帰を容易にする。【解決手段】携帯端末装置（１）では、ＮＦＣＩＣ（２３）は、ＳＥ２６を含むＳＩＭカード（２１）が配置されたＳＩＭトレイ（２２）の収納位置にて、ＳＩＭトレイ（２２）の導体部（２２ｂ）を経てＮＦＣアンテナ（２５）と接続され、取り出し位置にて、ＮＦＣアンテナ（２５）との接続が遮断される。【選択図】図１
2014186400.tif 000002
【特許請求の範囲】
【請求項１】
携帯端末装置であって、
セキュアエレメントを含むメモリモジュールと、
前記メモリモジュールが配置され、前記携帯端末装置に対して、前記メモリモジュールを取り出し可能な取り出し位置、および前記メモリモジュールを収納した収納位置に移動可能なモジュール保持部材と、
アンテナと、
前記セキュアエレメントが保持する情報を参照しながらの、携帯端末装置による前記アンテナを介しての外部装置との近距離無線通信動作を制御する通信制御部とを備え、
前記モジュール保持部材は導体部を有し、
前記通信制御部は、前記モジュール保持部材が前記収納位置に配置された状態において、前記導体部を介して前記アンテナと接続され、前記モジュール保持部材が前記取り出し位置に配置された状態において、前記導体部を介しての前記アンテナとの接続が遮断されることを特徴とすることを特徴とする携帯端末装置。
【請求項２】
前記モジュール保持部材は、前記アンテナの複数個の端子に対応して、独立した前記導体部を複数個有し、
前記通信制御部は、前記モジュール保持部材が前記収納位置に配置された状態において、前記複数個の導体部を介して前記アンテナと接続されることを特徴とする請求項１に記載の携帯端末装置。
【請求項３】
前記モジュール保持部材は、前記アンテナの複数個の端子のうちの１個に対応して、独立した前記導体部を１個有し、
前記通信制御部は、前記モジュール保持部材が前記収納位置に配置された状態において、前記１個の導体部を介して前記アンテナと接続され、
前記アンテナの他の端子は、前記モジュール保持部材の前記導体部を介することなく、前記通信制御部と接続されていることを特徴とする請求項１に記載の携帯端末装置。
【請求項４】
前記アンテナは前記モジュール保持部材に設けられ、前記アンテナは前記導体部に接続されていることを特徴とする請求項１に記載の携帯端末装置。
【請求項５】
前記通信制御部と前記アンテナとは、前記モジュール保持部材が前記収納位置に配置された状態において、前記通信制御部と接続された端子と前記アンテナと接続された端子とが、前記モジュール保持部材の同一の面において、同一の前記導体部と接触することにより互いに接続されることを特徴とする請求項１から３のいずれか１項に記載の携帯端末装置。
【発明の詳細な説明】
【技術分野】
【０００１】
本発明は、近距離無線通信機能を備えた携帯端末装置に関する。
【背景技術】
【０００２】
スマートフォンなどの携帯端末装置は、例えば、電話番号を特定するための固有のＩＤ番号が記録されたＳＩＭカード（Subscriber Identity Module Card）を備えている。また、近年では、ＮＦＣ（Near Field Communication：近距離無線通信）を利用した電子マネー等の決済系サービスが普及しており、このような決済サービス機能を備えた携帯端末装置が多種市販されている。
【０００３】
ＮＦＣによる決済系サービス機能を備えた携帯端末装置では、決済サービス上のトラブルを防止するための構成を備えている。
【０００４】
特許文献１には、アンテナとＵＩＭ（User Identity Module）との間に、回路を切断する機械的操作スイッチ等を設けた構成が開示されている。この構成では、意図しない非接触通信機能の動作を防止できるようにしている。
【０００５】
また、特許文献２には、ＳＩＭスロットを封するセキュリティシールが、アンテナ回路の一部を兼ねており、非正規にＳＩＭを抜こうとすると、アンテナ回路が破断され、通信できなくなる構成が開示されている。この構成では、モジュールが許可無く取り外された場合あるいは交換された場合に、機器を非アクティブ状態にできるようにしている。
【先行技術文献】
【特許文献】
【０００６】
【特許文献１】特開２００５−２２２０９７号公報（２００５年８月１８日公開）
【特許文献２】特表２００６−５１０９８３（２００６年３月３０日公表）
【発明の概要】
【発明が解決しようとする課題】
【０００７】
上記の決済系サービスを利用する携帯端末装置には、取引に必要となるデータを格納したＳＥ（セキュアエレメント：Secure Element）と呼ばれる回路が必要である。ＳＥは、ＳＩＭカード内、ＳＤメモリーカード内、あるいは専用ＩＣなどに実装可能であるものの、近年ではＳＩＭカード内に実装することが主流となっている。
【０００８】
一方、携帯端末装置では、バッテリー容量が増加していることやデザインを重視することから、バッテリーの取り外しができないモデルが商品化されている。したがって、このような携帯端末装置では、ユーザが、バッテリーを取り外すことなく、ＳＩＭカードの抜き差しを行えるようになっている。
【０００９】
このような携帯端末装置では、ＮＦＣによる決済処理中において、ＳＩＭカードが意図的にあるいは偶発的に取り外された場合、予測不能のエラーによりデータの破損などが発生することが懸念されている。
【００１０】
このような問題に対し、特許文献１に記載の構成では、携帯端末装置のＮＦＣでの通信中において、意図的にあるいは偶発的にＳＩＭカードが取り外される事態には対応することができない。
【００１１】
また、特許文献２に記載の構成では、携帯端末装置のＮＦＣでの通信中においてＳＩＭカードが取り外された場合、携帯端末装置が非アクティブ状態となるので、データの破損などの問題を回避することができる。しかしながら、携帯端末装置のＮＦＣでの通信中において、ユーザが不用意にＳＩＭカードを取り外した場合には、メンテナンスサービスによりセキュリティモジュールが新規にインストールされ完全なリセットが行われるまで、携帯端末装置を使用できなくなってしまう。
【００１２】
したがって、本発明は、ＮＦＣでの通信中においてＳＩＭカードが取り外された場合のデータの破損を防止し、かつＳＩＭカードの取り外しおよび取り付けに伴う動作の停止および復帰を容易に行うことができる携帯端末装置の提供を目的としている。
【課題を解決するための手段】
【００１３】
上記の課題を解決するために、本発明の一態様に係る携帯端末装置は、セキュアエレメントを含むメモリモジュールと、前記メモリモジュールが配置され、携帯端末装置に対して、前記メモリモジュールを取り出し可能な取り出し位置、および前記メモリモジュールを収納した収納位置に移動可能なモジュール保持部材と、アンテナと、前記セキュアエレメントが保持する情報を参照しながらの、携帯端末装置による前記アンテナを介しての外部装置との近距離無線通信動作を制御する通信制御部とを備え、前記モジュール保持部材は導体部を有し、前記通信制御部は、前記モジュール保持部材が前記収納位置に配置された状態において、前記導体部を介して前記アンテナと接続され、前記モジュール保持部材が前記取り出し位置に配置された状態において、前記導体部を介しての前記アンテナとの接続が遮断されることを特徴としている。
【発明の効果】
【００１４】
本発明の構成によれば、近距離無線通信での通信中において、意図的にあるいは偶発的に、モジュール保持部材が収納位置から取り出し位置に移動されて、メモリモジュールが取り外された場合のデータの破損を防止することができる。また、メモリモジュールの取り外しおよび取り付けに伴う携帯端末装置の動作の停止および復帰を容易に行うことができる。
【図面の簡単な説明】
【００１５】
【図１】本発明の実施の形態の携帯端末装置の構成を示す模式図である。
【図２】図１に示した携帯端末装置の内部の構造を示す分解斜視図である。
【図３】図２に示した中間端子と接続される端子の構造を示す正面図である。
【図４】図４の（ａ）は、図１に示した携帯端末装置に収納された状態のＳＩＭトレイを示す平面図、図４の（ｂ）は、図４の（ａ）の収納完了状態から、引き出される途中の状態を示すＳＩＭトレイの平面図、図４の（ｃ）は、図４の（ａ）に示したＳＩＭトレイが完全に引き出された後の携帯端末装置におけるＳＩＭトレイ収納領域を示す平面図である。
【図５】図５の（ａ）は、図１に示した、中間端子を有するＳＩＭトレイの上面図、図５の（ｂ）は上記ＳＩＭトレイの底面図、図５の（ｃ）は図５の（ａ）におけるＡ−Ａ線矢視断面図、図５の（ｄ）は上記ＳＩＭトレイの側面図である。
【図６】ＳＩＭカード、ＳＩＭトレイ、ＮＦＣＩＣ、ＣＰＵおよびＮＦＣアンテナを備えた一般的な携帯端末装置の構成を示す模式図である。
【図７】図７の（ａ）は他の中間端子を有するＳＩＭトレイの上面図、図７の（ｂ）は上記ＳＩＭトレイの底面図、図７の（ｃ）は、中間端子に端子が接触した状態の図７の（ａ）におけるＢ−Ｂ線矢視断面図である。
【図８】図８の（ａ）は、中間端子に端子が接触した状態の、本発明のさらに他の実施の形態におけるＳＩＭトレイの出し入れ方向に平行な第１側面を示す側面図、図８の（ｂ）は図８（ａ）に示したＳＩＭトレイの平面図、図８の（ｃ）は、中間端子に端子が接触した状態のＳＩＭトレイの、上記第１側面とは反対側の第２側面を示す側面図である。
【図９】図９の（ａ）は本発明のさらに他の実施の形態における、中間端子を有するＳＩＭトレイの平面図、図９の（ｂ）は、中間端子に端子が接触した状態の、上記ＳＩＭトレイを収納する方向の前端面である第３側面を示す側面図である。
【図１０】本発明の他の実施の形態の携帯端末装置の構成を示す模式図である。
【図１１】図１１の（ａ）は、１個の中間端子を有するＳＩＭトレイの上面図、図１１の（ｂ）は上記ＳＩＭトレイの底面図、図１１の（ｃ）は図１１の（ａ）におけるＣ−Ｃ線矢視断面図である。
【図１２】図１２の（ａ）は他の１個の中間端子を有するＳＩＭトレイの上面図、図１２の（ｂ）は上記ＳＩＭトレイの底面図、図１２の（ｃ）は、中間端子に端子が接触した状態の図１２の（ａ）におけるＤ−Ｄ線矢視断面図である。
【図１３】図１３の（ａ）は、中間端子に端子が接触した状態の、１個のみの他の中間端子を有するＳＩＭトレイの出し入れ方向に平行な第１側面を示す側面図、図１３の（ｂ）は図１３（ａ）に示したＳＩＭトレイの平面図、図１３の（ｃ）は、中間端子に端子が接触した状態のＳＩＭトレイの、上記第１側面とは反対側の第２側面を示す側面図である。
【図１４】図１４の（ａ）は、１個のみのさらに他の中間端子を有するＳＩＭトレイの平面図、図１４の（ｂ）は、中間端子に端子が接触した状態の、上記ＳＩＭトレイを収納する方向の前端面である第３側面を示す側面図である。
【図１５】図１５の（ａ）は、本発明のさらに他の実施の形態における、アンテナを備え、中間端子を有するＳＩＭトレイの上面図、図１５の（ｂ）は上記ＳＩＭトレイの底面図である。
【図１６】図１６の（ａ）は実際のＳＩＭカードを示す正面図、図１６の（ｂ）は実際のｍｉｃｒｏＳＩＭカードを示す正面図である。
【発明を実施するための形態】
【００１６】
〔実施の形態１〕
本発明の実施の形態を図面に基づいて以下に説明する。
図１は、本発明の実施の形態の携帯端末装置１の構成を示す模式図である。携帯端末装置１は、ＮＦＣ（Near Field Communication：近距離無線通信）機能を備えた、携帯電話機、スマートフォン、タブレット端末あるいはその他の携帯型の電子機器である。本実施の形態において、携帯端末装置１は、メモリモジュールとしてＳＩＭカード（Subscriber Identity Module Card）を備えているものとする。
【００１７】
図１に示すように、携帯端末装置１は、ＳＩＭカード２１、ＳＩＭトレイ２２、ＮＦＣ（Near Field Communication：近距離無線通信）ＩＣ２３、ＣＰＵ２４およびＮＦＣアンテナ２５を備えている。
【００１８】
ＳＩＭカード２１は、セキュアエレメント（ＳＥ：Secure Element）２６を搭載し、ＳＩＭトレイ２２に配置されている。セキュアエレメント２６は、携帯端末装置１に使用される周知のものであり、例えばデータを安全に格納するメモリや暗号ロジック回路を内蔵した半導体製品であり、外部からの悪意を持った解析攻撃に耐えられるように設計されたものである。
【００１９】
なお、図２では、ＳＩＭカード２１がＳＩＭトレイ２２の下面に配置されている例を示しているが、ＳＩＭトレイ２２に対するＳＩＭカード２１の配置形態は、これに限定されず、他の部材との位置関係等から適宜設定すればよい。
【００２０】
また、現在市販されているＳＩＭカードとしては、図１６の（ａ）に示すＳＩＭカード、および（ｂ）に示すｍｉｃｒｏＳＩＭカードが知られている。本実施の形態を示す図面では、説明の便宜上、接続用の端子２１ａの形状を簡略化したＳＩＭカード２１を示しているが、図１６の（ａ）（ｂ）に示したものであっても同様にして使用可能であるのは勿論である。
【００２１】
ＳＩＭトレイ２２は、ユーザに操作されてスライド動作を行うことにより、携帯端末装置１の内部からの引き出し（引き出し位置への移動）、携帯端末装置１の内部への収納（収納位置への移動）が可能となっている。
【００２２】
ＮＦＣＩＣ２３は、携帯端末装置１のＮＦＣ機能による無線通信を制御するＩＣである。ＮＦＣＩＣ２３は、ＳＩＭトレイ２２が携帯端末装置１に完全に収納された状態（収納位置に配置された状態）において、ＳＩＭカード２１およびＮＦＣアンテナ２５と電気的に接続されるようになっている。なお、以下の説明では、電気的な接続を単に接続と表現する。ＣＰＵ２４は、携帯端末装置１が備えるアプリケーションソフトウエアを制御する。
【００２３】
次に、携帯端末装置１の内部の構造について説明する。図２は、携帯端末装置１の内部の構造を示す分解斜視図である。
【００２４】
図２に示すように、携帯端末装置１は主基板４１を備え、この主基板４１の上にＮＦＣＩＣ２３、ＣＰＵ２４、給電線２９、端子２９ａおよびＳＩＭコネクタ２７が設けられている。ＳＩＭトレイ２２は主基板４１上に収納され、ＮＦＣアンテナ２５は主基板４１の上方に配置されている。
【００２５】
主基板４１上の端子２９ａは、ＮＦＣＩＣ２３から引き出された給電線２９の先端部に接続され、接点を上に向けて配置されている。端子２９ａは、図３に示すように、例えば弾性を有する導電性の金属板にて形成され、取付部２９ａ１、弾性変形部２９ａ２および接点２９ａ３を有している。取付部２９ａ１は平板状に形成され、主基板４１に固定される。弾性変形部２９ａ２は、取付部２９ａ１から取付部２９ａ１と平行となるように上方に折り曲げられている。接点２９ａ３は、弾性変形部２９ａ２の端部に形成されて上方に突出し、ＳＩＭトレイ２２が携帯端末装置１内に収納された状態において、ＳＩＭトレイ２２の中間端子２２ａと接触し接続される。
【００２６】
ＳＩＭコネクタ２７は、ＳＩＭトレイ２２が携帯端末装置１内に収納された場合に、ＳＩＭトレイ２２と共に、ＳＩＭトレイ２２に配置されているＳＩＭカード２１を保持する。また、ＳＩＭコネクタ２７は、主基板４１上の回路（図示せず）と接続された複数（本実施の形態においては６個）の端子２７ａを有している。これら端子２７ａは、ＳＩＭトレイ２２が携帯端末装置１内に収納された場合に、ＳＩＭトレイ２２に配置されたＳＩＭカード２１の複数（本実施の形態においては６個）の端子２１ａとそれぞれ接続される。なお、端子２７ａは、例えば、弾性を有する導電性部材によって凸形状に形成され、端子２１ａと確実に接続される。
【００２７】
ＮＦＣアンテナ２５は、例えば可撓性を有する樹脂板からなるアンテナ基板２５ａにループ状にアンテナ線２５ｂが設けられた構造である。また、アンテナ基板２５ａの端部における下面には、２個の端子２８ａが設けられている。
【００２８】
これら端子２８ａは、例えば図３に示した端子２９ａと同じ構造のものであり、接点２９ａ３を下に向けて配置されている。一方の端子２８ａには、給電線２８を介してアンテナ線２５ｂの一端部が接続され、他の端子には、給電線２８を介してアンテナ線２５ｂの他端部が接続されている。これら端子２８ａは、ＳＩＭトレイ２２が携帯端末装置１内に収納された状態において、ＳＩＭトレイ２２の中間端子２２ａと接触し接続される。
【００２９】
なお、端子２８ａ，２９ａは、ＳＩＭトレイ２２の収納および引き出しに伴い、ＳＩＭカード２１の端子２１ａとの円滑かつ確実は接続および接続の遮断が行われるように、長手方向（接点２９ａ、弾性変形部２９ａ２の並び方向）が、図２に示したように、ＳＩＭトレイ２２の収納引き出し方向と平行となるように配置されるのが好ましい。
【００３０】
次に、ＳＩＭトレイ２２の収納および引き出しに伴う、ＮＦＣＩＣ２３とＳＩＭカード２１との接続および接続の遮断が行われる構造、並びにＮＦＣＩＣ２３とＮＦＣアンテナ２５との接続および接続の遮断が行われる構造について詳細に説明する。
【００３１】
図４の（ａ）は、携帯端末装置１に収納された状態のＳＩＭトレイ２２を示す平面図、図４の（ｂ）は、図４の（ａ）の収納完了状態から、引き出される途中の状態を示すＳＩＭトレイ２２の平面図、図４の（ｃ）は、図４の（ａ）に示したＳＩＭトレイ２２が完全に引き出された後の携帯端末装置におけるＳＩＭトレイ収納領域３０を示す平面図である。なお、これら各図では、簡略化のため、ＳＩＭコネクタ２７は端子２７ａのみを示している。また、図２以外のＳＩＭカード２１を示している図では、ＳＩＭトレイ２２およびＳＩＭカード２１に関わる電気的な接続構造の理解を容易にするため、ＳＩＭトレイ２２を下方から見た状態（ＳＩＭカード２１の端子２１ａが見える状態）を示し、かつＳＩＭカード２１および端子２１ａを実線にて示している。
【００３２】
図４の（ａ）〜（ｃ）に示すように、ＳＩＭカード２１の６個の端子２１ａとＳＩＭコネクタ２７の６個の端子２７ａとは、ＳＩＭトレイ２２を携帯端末装置１に完全に収納した状態において、互いに接触して接続される。これにより、ＳＩＭカード２１がＮＦＣＩＣ２３と接続される。
【００３３】
また、ＳＩＭトレイ２２は、図４の（ａ）〜（ｂ）および図５の（ａ）〜（ｂ）に示すように、ＳＩＭカード２１の配置領域以外の領域に２個の中間端子２２ａを有している。
図５の（ａ）は中間端子２２ａを有するＳＩＭトレイ２２の上面図、図５の（ｂ）は上記ＳＩＭトレイ２２の底面図である。また、図５の（ｃ）は図５の（ａ）におけるＡ−Ａ線矢視断面図、図５の（ｄ）はＳＩＭトレイ２２の側面図である。
【００３４】
ＳＩＭトレイ２２の２個の中間端子２２ａは、ＳＩＭトレイ２２を貫通する導体部２２ｂの上面および下面に露出する部分によって形成されている。ここでは、ＳＩＭトレイ２２におけるＳＩＭカード２１が配置されている側の面を上面とし、その反対側の面を下面とする。
【００３５】
各中間端子２２ａには、図５の（ｃ）に示すように、携帯端末装置１へのＳＩＭトレイ２２の収納を完了した状態において、表面側から端子２８ａが、裏面側から端子２９ａがそれぞれ接触して接続されるようになっている。したがって、携帯端末装置１へのＳＩＭトレイ２２の収納を完了した状態において、ＮＦＣＩＣ２３はＳＩＭトレイ２２を介してＮＦＣアンテナ２５と接続される。
【００３６】
上記の構成において、ＳＩＭトレイ２２の引き出しおよび収納に伴う本実施の形態の携帯端末装置１の動作を、比較例に係る携帯端末装置の動作と比較しながら説明する。図６は、ＳＩＭカード２１、ＳＩＭトレイ２２、ＮＦＣＩＣ２３、ＣＰＵ２４およびＮＦＣアンテナ２５を備えた一般的な携帯端末装置３０１の構成を示す模式図である。
【００３７】
携帯端末装置３０１は、図６に示すように、ＮＦＣＩＣ２３がＳＩＭトレイ２２を介することなく、給電線２８によりＮＦＣアンテナ２５と直接接続されている。他の構成は、携帯端末装置１と同様である。
【００３８】
比較例に係る携帯端末装置３０１では、ＳＩＭトレイ２２が携帯端末装置１に完全に収納された状態において、携帯端末装置１と同様、ＮＦＣＩＣ２３がＳＩＭトレイ２２のＳＩＭカード２１と接続される。一方、ＳＩＭトレイ２２が携帯端末装置１から引き出されれると、ＮＦＣＩＣ２３とＳＩＭトレイ２２のＳＩＭカード２１との接続が遮断される。しかしながら、ＮＦＣＩＣ２３はＮＦＣアンテナ２５と接続されたままである。したがって、携帯端末装置３０１では、携帯端末装置１とサーバと接続された相手側端末装置とのＮＦＣでの通信中において、意図的にあるいは偶発的にＳＩＭトレイ２２が引き出された場合にもＮＦＣでの通信は維持される。このため、予測不能のエラーが生じ、データを破損する恐れがある。
【００３９】
これに対し、本実施の形態の携帯端末装置１では、ＮＦＣＩＣ２３がＳＩＭトレイ２２の導体部２２ｂを介してＮＦＣアンテナ２５と接続される。したがって、例えばＳＩＭカード２１の取り出しを目的として、ＳＩＭトレイ２２が携帯端末装置１から引き出されると、ＮＦＣＩＣ２３とＳＩＭトレイ２２のＳＩＭカード２１との接続、およびＮＦＣＩＣ２３とＮＦＣアンテナ２５との接続が遮断される。この状態は、携帯端末装置１およびサーバの双方にとって、携帯端末装置１と相手側端末装置との距離が離れたことと同等の状態であり、それぞれ、新たなプロトコルを追加することなく、既存のプロトコルにより処理することができる。
【００４０】
これにより、携帯端末装置１と相手側端末装置とのＮＦＣでの通信中において、意図的にあるいは偶発的にＳＩＭトレイ２２が引き出された場合であっても、予測不能のエラーが生じてデータを破損する事態を防止することができる。また、ＮＦＣＩＣ２３とＮＦＣアンテナ２５との接続は、ＳＩＭトレイ２２を携帯端末装置１に収納することにより容易に復帰することができる。すなわち、携帯端末装置１は、ＮＦＣでの通信中においてＳＩＭトレイ２２が引き出された場合（ＳＩＭカード２１が取り外された場合）のデータの破損を防止し、かつＳＩＭトレイ２２の引き出しおよび収納（ＳＩＭカード２１の取り外しおよび取り付け）に伴う動作の停止および復帰を容易に行うことができる。
【００４１】
なお、本実施の形態では、ＳＩＭトレイ２２が２個の中間端子２２ａを備える場合について示している。しかしながら、中間端子２２ａの数は、接続される端子２８ａおよび２９ａ等の数に応じて、１個あるいは３個以上に設定されてもよい。この点は以下の他の実施の形態においても同様である。
【００４２】
〔実施の形態２〕
本発明の他の実施の形態を図面に基づいて以下に説明する。
図７の（ａ）は他の中間端子２２ａを有するＳＩＭトレイ２２の上面図、図７の（ｂ）は上記ＳＩＭトレイ２２の底面図、図７の（ｃ）は、中間端子２２ａに端子２８ａ，２９ａが接触した状態の図７の（ａ）におけるＢ−Ｂ線矢視断面図である。
【００４３】
本実施の形態は、ＳＩＭトレイ２２の中間端子２２ａがＳＩＭトレイ２２の上面側のみに設けられている例を示す。中間端子２２ａを形成する導体部２２ｂは、ＳＩＭトレイ２２の出し入れ方向と直交する方向に延び、ＳＩＭトレイ２２の出し入れ方向に並んで２列に形成されている。中間端子２２ａは、各導体部２２ｂの両端部に相当する部分となっている。なお、各導体部２２ｂにおける中間端子２２ａ（両端部）以外の部分は露出しないように被覆されている。
【００４４】
中間端子２２ａが上記のように配置されていることから、ＮＦＣＩＣ２３と接続されている端子２９ａとＮＦＣアンテナ２５と接続されている端子２８ａとは、携帯端末装置１に収納された状態のＳＩＭトレイ２２の上方位置に配置され、上方から中間端子２２ａに接触し接続される。
【００４５】
この場合、端子２９ａは、例えば、図２に示したアンテナ基板２５ａにおいて、端子２８ａが配置されている部分をＳＩＭトレイ２２の出し入れ方向と直交する方向に延長し、その延長した部分に端子２９ａと同様にして配置してもよい。
【００４６】
本実施の形態の構成においても、同様に、ＮＦＣでの通信中においてＳＩＭトレイ２２が引き出された場合（ＳＩＭカード２１が取り外された場合）のデータの破損を防止し、かつＳＩＭトレイ２２の引き出しおよび収納（ＳＩＭカード２１の取り外しおよび取り付け）に伴う動作の停止および復帰を容易に行うことができる。この点は、以下の各実施の形態の構成においても同様である。
【００４７】
〔実施の形態３〕
本発明のさらに他の実施の形態を図面に基づいて以下に説明する。
図８の（ａ）は、中間端子２２ａに端子２８ａが接触した状態の、本発明のさらに他の実施の形態におけるＳＩＭトレイ２２の出し入れ方向に平行な第１側面２２ｄを示す側面図、図８の（ｂ）は上記ＳＩＭトレイ２２の平面図、図８の（ｃ）は、中間端子２２ａに端子２８ａが接触した状態のＳＩＭトレイ２２の、上記第１側面２２ｄとは反対側の第２側面２２ｅを示す側面図である。
【００４８】
本実施の形態は、ＳＩＭトレイ２２の中間端子２２ａがＳＩＭトレイ２２の両側面に設けられている例を示す。中間端子２２ａを形成する導体部２２ｂは、ＳＩＭトレイ２２の出し入れ方向と直交する方向に延び、ＳＩＭトレイ２２の出し入れ方向に並んで２列に形成されている。各導体部２２ｂはＳＩＭトレイ２２の第１側面２２ｄおよび第２側面２２ｅに達し、各導体部２２ｂの両端部がＳＩＭトレイ２２の第１および第２側面２２ｅから露出して中間端子２２ａとなっている。なお、各導体部２２ｂにおける中間端子２２ａ（両端部）以外の部分は露出しないように被覆されている。
【００４９】
中間端子２２ａが上記のように配置されていることから、ＮＦＣＩＣ２３と接続されている端子２９ａは、携帯端末装置１に収納された状態のＳＩＭトレイ２２の例えば第１側面２２ｄと対向する位置に配置され、ＮＦＣアンテナ２５と接続されている端子２８ａは上記ＳＩＭトレイ２２の例えば第２側面２２ｅと対向する位置に配置される。したがって、これら端子２８ａ，２９ａは、ＳＩＭトレイ２２が完全に収納された状態において、ＳＩＭトレイ２２の側方から中間端子２２ａに接触し接続される。
【００５０】
〔実施の形態４〕
本発明のさらに他の実施の形態を図面に基づいて以下に説明する。
図９の（ａ）は本実施の形態における、中間端子２２ａを有するＳＩＭトレイ２２の平面図、図９の（ｂ）は、中間端子２２ａに端子２８ａ，２９ａが接触した状態の、上記ＳＩＭトレイ２２を収納する方向の前端面である第３側面２２ｆを示す側面図である。
【００５１】
本実施の形態は、ＳＩＭトレイ２２の中間端子２２ａが、ＳＩＭトレイ２２を収納する方向の前端面である第３側面２２ｆに設けられている例を示す。中間端子２２ａを形成する導体部２２ｂは、ＳＩＭトレイ２２の出し入れ方向の前端部においてコ字形に形成され、ＳＩＭトレイ２２の出し入れ方向と直交する方向に並んで２個形成されている。各導体部２２ｂの両端部は、第３側面２２ｆから露出して中間端子２２ａとなっている。なお、各導体部２２ｂにおける中間端子２２ａ以外の部分は露出しないように被覆されている。
【００５２】
中間端子２２ａが上記のように配置されていることから、ＮＦＣＩＣ２３と接続されている２個の端子２９ａ、およびＮＦＣアンテナ２５と接続されている２個の端子２８ａは第３側面２２ｆと対向するように配置される。この場合、２個の端子２８ａのうちの１個および２個の端子２９ａのうちの１個は、同一の導体部２２ｂにて形成された中間端子２２ａと接触し接続される。残りの各１個の端子２８ａ，２９ａは、他の同一の導体部２２ｂにて形成された中間端子２２ａと接触し接続される。この接続状態は、ＳＩＭトレイ２２が携帯端末装置１内に完全に収納され、第３側面２２ｆの中間端子２２ａが端子２８ａ，２９ａに押し付けらることにより生じる。
【００５３】
〔実施の形態５〕
本発明のさらに他の実施の形態を図面に基づいて以下に説明する。
図１０は、本発明の他の実施の形態の携帯端末装置２の構成を示す模式図である。図１に示した携帯端末装置１では、ＮＦＣアンテナ２５の両方の端部がＳＩＭトレイ２２の中間端子２２ａを介してＮＦＣＩＣ２３と接続されている。詳細には、ＮＦＣアンテナ２５と接続されている２本の給電線２８の両方がＳＩＭトレイ２２の中間端子２２ａを介してＮＦＣＩＣ２３と接続されている２本の給電線２９と接続されている。これに対し、本実施の形態の携帯端末装置２では、図１０に示すように、ＮＦＣアンテナ２５の一方の端部がＳＩＭトレイ２２の中間端子２２ａを介してＮＦＣＩＣ２３と接続され、他方の端部がＮＦＣＩＣ２３と直接接続されている。詳細には、ＮＦＣアンテナ２５と接続されている２本の給電線２８のうちの一方がＳＩＭトレイ２２の中間端子２２ａを介してＮＦＣＩＣ２３と接続されている１本の給電線２９と接続され、上記の２本の給電線２８のうちの他方がＮＦＣＩＣ２３と直接接続されている。他の構成は、携帯端末装置１と同様である。
【００５４】
図１１の（ａ）〜（ｃ）は、１個の中間端子２２ａを有するＳＩＭトレイ２２の構成を示すものであり、２個の中間端子２２ａを有するＳＩＭトレイ２２の構成を示す図５の（ａ）〜（ｃ）に対応している。
【００５５】
１個の中間端子２２ａには、図１１の（ｃ）に示すように、携帯端末装置１へのＳＩＭトレイ２２の収納を完了した状態において、表面側から端子２８ａが、裏面側から端子２９ａがそれぞれ接触して接続される。したがって、携帯端末装置１へのＳＩＭトレイ２２の収納を完了した状態において、ＮＦＣＩＣ２３はＳＩＭトレイ２２を介してＮＦＣアンテナ２５と接続される。
【００５６】
上記の構成において、本実施の形態の携帯端末装置２においても、ＳＩＭトレイ２２が携帯端末装置１から引き出されると、ＮＦＣＩＣ２３とＳＩＭトレイ２２のＳＩＭカード２１との接続、およびＮＦＣＩＣ２３とＮＦＣアンテナ２５との接続が遮断される。
【００５７】
これにより、携帯端末装置１と相手側端末装置とのＮＦＣでの通信中において、意図的にあるいは偶発的にＳＩＭトレイ２２が引き出された場合であっても、予測不能のエラーが生じてデータを破損する事態を防止することができる。また、ＮＦＣＩＣ２３とＮＦＣアンテナ２５との接続は、ＳＩＭトレイ２２を携帯端末装置１に収納することにより容易に復帰することができる。
【００５８】
なお、携帯端末装置２では、ＳＩＭトレイ２２が１個の中間端子２２ａのみを有する構成であるので、携帯端末装置１と比較して、中間端子２２ａを介してＮＦＣアンテナ２５とＮＦＣＩＣ２３とを接続するための給電線２８，２９および端子２８ａ，２９ａ等の部品の点数を低減でき、構成を簡素化することができる。
【００５９】
また、ＳＩＭトレイ２２が１個のみの中間端子２２ａを有する他の構成は、２個の中間端子２２ａを有する、前述の各ＳＩＭトレイ２２において、中間端子２２ａを１個のみとした構成を採用することができる。それらの具体例を図１２〜図１４に示す。
【００６０】
図１２の（ａ）〜（ｃ）は図７の（ａ）〜（ｃ）に対応し、図１３の（ａ）〜（ｃ）は図８の（ａ）〜（ｃ）に対応し、図１４の（ａ）〜（ｂ）は図９の（ａ）〜（ｂ）に対応し、それぞれＳＩＭトレイ２２が有する中間端子２２ａを１個のみとしている。
【００６１】
〔実施の形態６〕
本発明のさらに他の実施の形態を図面に基づいて以下に説明する。
図１５の（ａ）はアンテナを備え、ＳＩＭカード２１が配置されたＳＩＭトレイ２２の上面図、図１５の（ｂ）は上記ＳＩＭトレイ２２の底面図である。
【００６２】
本実施の形態では、ＮＦＣアンテナ２５がＳＩＭトレイ２２に設けられた構成となっている。具体的には、図１５の（ａ）に示すように、アンテナ線２５ｂがＳＩＭトレイ２２の空き領域に設けられ、アンテナ線２５ｂの各端部は、ＳＩＭトレイ２２が有する２個の中間端子２２ａにそれぞれ直接接続されている。したがって、ＳＩＭトレイ２２が携帯端末装置１に完全に収納された状態において、それら中間端子２２ａに、ＮＦＣＩＣ２３と接続された端子２９ａが接触し接続されるようになっている。なお、図１５の（ａ）では、アンテナ線２５ｂを簡略化して示しているが、アンテナ線２５ｂは、複数回のループを有するものなど、現在実用化あるいは開発されている小型のものを適宜利用することができる。
【００６３】
本実施の形態では、ＳＩＭトレイ２２がアンテナ基板２５ａを兼用しているので、独立したアンテナ基板２５ａが不要である。また、アンテナ線２５ｂが中間端子２２ａに直接接続されているので、アンテナ線２５ｂと中間端子２２ａとを接続する端子２８ａが不要となっている。これにより、部品点数が削減され、構成が簡素化されている。
【００６４】
〔まとめ〕
本発明の態様１に係る携帯端末装置は、セキュアエレメント２６を含むメモリモジュール（ＳＩＭカード２１）と、前記メモリモジュールが配置され、携帯端末装置に対して、前記メモリモジュールを取り出し可能な取り出し位置、および前記メモリモジュールを収納した収納位置に移動可能なモジュール保持部材（ＳＩＭトレイ２２）と、アンテナ（ＮＦＣアンテナ２５）と、前記セキュアエレメント２６が保持する情報を参照しながらの、携帯端末装置による前記アンテナを介しての外部装置との近距離無線通信動作を制御する通信制御部（ＮＦＣＩＣ２３）とを備え、前記モジュール保持部材は導体部２２ｂを有し、前記通信制御部は、前記モジュール保持部材が前記収納位置に配置された状態において、前記導体部２２ｂを介して前記アンテナと接続され、前記モジュール保持部材が前記取り出し位置に配置された状態において、前記導体部２２ｂを介しての前記アンテナとの接続が遮断される構成である。
【００６５】
上記の構成によれば、通信制御部は、モジュール保持部材が収納位置に配置された状態において、導体部２２ｂを介してアンテナと接続される。一方、通信制御部は、モジュール保持部材が取り出し位置に配置された状態において、導体部２２ｂを介しての前記アンテナとの接続が遮断される。
【００６６】
これにより、近距離無線通信での通信中において、意図的にあるいは偶発的に、モジュール保持部材が収納位置から取り出し位置に移動されて、メモリモジュールが取り外された場合のデータの破損を防止することができる。また、メモリモジュールの取り外しおよび取り付けに伴う携帯端末装置の動作の停止および復帰を容易に行うことができる。
【００６７】
本発明の態様２に係る携帯端末装置は、上記態様１において、前記モジュール保持部材（ＳＩＭトレイ２２）は、前記アンテナ（ＮＦＣアンテナ２５）の複数個の端子に対応して、独立した前記導体部２２ｂを複数個有し、前記通信制御部は、前記モジュール保持部材が前記収納位置に配置された状態において、前記複数個の導体部２２ｂを介して前記アンテナと接続される構成としてもよい。
【００６８】
上記の構成によれば、通信制御部は、モジュール保持部材が収納位置に配置された状態において、例えば通信制御部と接続されている複数個の端子がモジュール保持部材の複数個の導体部２２ｂと接触することにより、モジュール保持部材の複数個の導体部２２ｂを介してアンテナと接続される。一方、通信制御部は、モジュール保持部材が収納位置に配置された状態において、例えば通信制御部と接続されている複数個の端子がモジュール保持部材の複数個の導体部２２ｂから離れることにより、アンテナとの接続が遮断される。
【００６９】
これにより、モジュール保持部材の複数個の導体部を介して、モジュール保持部材が収納位置に配置された状態での通信制御部とアンテナとの接続、およびモジュール保持部材が取り出し位置に配置された状態での通信制御部とアンテナとの接続の遮断を容易かつ適切に行うことができる。
【００７０】
本発明の態様３に係る携帯端末装置は、上記態様１において、前記モジュール保持部材（ＳＩＭトレイ２２）は、前記アンテナ（ＮＦＣアンテナ２５）の複数個の端子のうちの１個に対応して、独立した前記導体部２２ｂを１個有し、前記通信制御部は、前記モジュール保持部材が前記収納位置に配置された状態において、前記１個の導体部２２ｂを介して前記アンテナと接続され、前記アンテナの他の端子は、前記モジュール保持部材の前記導体部２２ｂを介することなく、前記通信制御部と接続されている構成としてもよい。
【００７１】
上記の構成によれば、通信制御部は、モジュール保持部材が収納位置に配置された状態において、例えば通信制御部と接続されている１個の端子がモジュール保持部材の１個の導体部２２ｂと接触することにより、モジュール保持部材の１個の導体部２２ｂを介してアンテナと接続される。この場合、アンテナの他の端子は、モジュール保持部材の導体部２２ｂを介することなく、通信制御部と接続されている。一方、通信制御部は、モジュール保持部材が収納位置に配置された状態において、例えば通信制御部と接続されている１個の端子がモジュール保持部材の１個の導体部２２ｂから離れることにより、アンテナとの接続が遮断される。
【００７２】
これにより、モジュール保持部材の１個の導体部を介して、モジュール保持部材が収納位置に配置された状態での通信制御部とアンテナとの接続、およびモジュール保持部材が取り出し位置に配置された状態での通信制御部とアンテナとの接続の遮断を容易かつ適切に行うことができる。また、モジュール保持部材が１個の導体部２２ｂのみを有するので、導体部２２ｂを介して通信制御部とアンテナとを接続するための給電線や端子等の部品の点数を低減でき、構成を簡素化することができる。
【００７３】
本発明の態様４に係る携帯端末装置は、上記態様１において、前記アンテナ（ＮＦＣアンテナ２５）は前記モジュール保持部材（ＳＩＭトレイ２２）に設けられ、前記アンテナは前記導体部２２ｂに接続されている構成としてもよい。
【００７４】
上記の構成によれば、アンテナはモジュール保持部材に設けられ、アンテナは導体部２２ｂに接続されているので、アンテナのアンテナ線が設けられる専用の基板が不要となっている。また、アンテナはモジュール保持部材の導体部２２ｂに直接接続されているので、アンテナに接続されて導体部２２ｂに接触する端子２８ａが不要となっている。これにより、部品点数を削減し、構成を簡素化することができる。
【００７５】
本発明の態様５に係る携帯端末装置は、上記態様１から３のいずれか一つの態様において、前記通信制御部（ＮＦＣＩＣ２３）と前記アンテナ（ＮＦＣアンテナ２５）とは、前記モジュール保持部材（ＳＩＭトレイ２２）が前記収納位置に配置された状態において、前記通信制御部と接続された端子と前記アンテナと接続された端子とが、前記モジュール保持部材の同一の面において、同一の前記導体部２２ｂと接触することにより互いに接続される構成としてもよい。
【００７６】
上記の構成によれば、通信制御部と接続された端子とアンテナと接続された端子とは、モジュール保持部材の同一の面と対向する位置に集中させて配置される。これにより、これら端子の配置スペースを集約して装置の小型化が可能となる。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７８】
本発明は、近距離無線通信機能を有し、セキュアエレメント２６を含むメモリモジュールを出し入れ可能なスマートフォンやタブレット端末などの携帯端末装置に利用することができる。
【符号の説明】
【００７９】
１，２    携帯端末装置
２１    ＳＩＭカード（メモリモジュール）
２２    ＳＩＭトレイ（モジュール保持部材）
２２ａ  中間端子
２２ｂ  導体部
２３    ＮＦＣＩＣ（通信制御部）２３
２５    ＮＦＣアンテナ（アンテナ）
２５ａ  アンテナ基板
２５ｂ  アンテナ線
２６    セキュアエレメント
２７    ＳＩＭコネクタ
２８    給電線
２８ａ  端子
２９    給電線
２９ａ  端子
【図１】
2014186400.tif 000003
【図２】
2014186400.tif 000004
【図３】
2014186400.tif 000005
【図４】
2014186400.tif 000006
【図５】
2014186400.tif 000007
【図６】
2014186400.tif 000008
【図７】
2014186400.tif 000009
【図８】
2014186400.tif 000010
【図９】
2014186400.tif 000011
【図１０】
2014186400.tif 000012
【図１１】
2014186400.tif 000013
【図１２】
2014186400.tif 000014
【図１３】
2014186400.tif 000015
【図１４】
2014186400.tif 000016
【図１５】
2014186400.tif 000017
【図１６】
2014186400.tif 000018